(57)【要約】【課題】多量のスクラップを使用する際にも、炉口からの黒煙、粉塵、フレーム等の漏洩を最小限に抑制することができる溶銑の精錬方法を提供する。【解決手段】可燃物を含むスクラップＳと溶銑を装入して精錬する転炉１、２または溶銑予備処理炉の装入部に設置された装入フード３、４と、炉周フード６、７、出鋼フード８、９等のその他のフード１０とを共通の集塵機１３に接続する。各フードのダンパー１４は常時は個別に開閉制御されるが、溶銑とスクラップＳとの接触による発塵作業時には、工場内集塵系を集中管理して発塵作業が行われる転炉１の装入フード３を除くその他のフードの吸引風量を最小限に抑え、装入フード３の吸引風量を最大化する。これにより炉口からの黒煙、粉塵、フレーム等の漏洩を最小限に抑制する。【選択図】図１
2007211263.tif 000002
【特許請求の範囲】
【請求項１】
可燃物を含むスクラップと溶銑を装入して精錬する転炉または溶銑予備処理炉の装入部に設置された装入フードと、常時は個々に自動制御されるその他のフードとを共通の集塵機に接続しておき、溶銑とスクラップとの接触による粉塵及びフレーム発生時には、工場内集塵系を集中管理して装入フードを除くその他のフードの吸引風量を最小限に抑えることにより、装入フードの吸引風量を最大化することを特徴とする溶銑の精錬方法。
【請求項２】
溶銑とスクラップとの接触による粉塵及びフレーム発生時に、炉口上部から散水、ミスト噴霧、不活性ガス噴射の少なくとも一つを行うことにより、黒煙や粉塵の漏洩を抑制することを特徴とする請求項１記載の溶銑の精錬方法。
【発明の詳細な説明】
【技術分野】
【０００１】
本発明は、転炉または溶銑予備処理炉による溶銑の精錬方法に関するものであり、特に溶銑との接触により多量の発塵及びフレーム発生を伴うスクラップを使用した場合の溶銑の精錬方法に関するものである。
【背景技術】
【０００２】
自動車スクラップ等の金属スクラップの有効利用を図るため、回収されたスクラップを製鋼工場の転炉または溶銑予備処理炉において高温溶銑の熱及び精錬反応熱で溶解して、鉄源として再利用する方法が実施されている。この場合、スクラップを先に炉内に装入してから溶銑を注入する方法と、溶銑の入った炉内にスクラップを装入する方法とがある。しかしスクラップが自動車スクラップのように樹脂やオイル等の可燃物を含むものである場合には、何れの方法を採っても溶銑と接触する際に多量の黒煙、粉塵、フレーム等が発生し、炉口から周辺に漏洩することが避けられない。
【０００３】
そこで特許文献１に示されるように、炉口上部から散水、ミスト噴霧、不活性ガス噴射等を行うことにより、黒煙、粉塵、フレーム等の漏洩を抑制するとともに、炉の装入部の上方に設置された装入フードのダンパーを全開としてこれらを吸引しているが、なお一部の黒煙や粉塵が周囲に漏洩することがあった。このため、一度に使用できるスクラップ量を少量としなければならず、スクラップ処理能力を十分に高めることができなかった。
【特許文献１】特開２００５‐８９７９２号公報
【発明の開示】
【発明が解決しようとする課題】
【０００４】
本発明は上記した従来の問題点を解決して、多量のスクラップを使用する際にも、炉口からの黒煙、粉塵、フレーム等の漏洩を最小限に抑制することができる溶銑の精錬方法を提供することを目的とするものである。
【０００５】
本発明者はこの課題を解決するための手段を様々な角度から検討した結果、炉の装入部の上方に設置された装入フードの吸引風量を増加させることが有効であると考えた。しかし転炉または溶銑予備処理炉のある工場内には、炉周フード、出鋼フード等の多くの集塵フードが設置されており、共通の集塵機に接続されている。またそれぞれの集塵フードのダンパー開度はそれぞれの工程における発塵状況に応じて自動制御されている。このため共通の集塵機をフル稼働させても、その吸引風量は各集塵フードに分散されるため、装入フードの吸引風量には限界があった。
【０００６】
なお、共通の集塵機自体を大型化することも考えられるが、装入フードの吸引風量を増加させたい時間が全操業時間に占める比率は小さく、ほとんどの時間帯では大型集塵機の能力が過剰となってしまうため、費用効率の点から好ましくない。
【課題を解決するための手段】
【０００７】
本発明は上記の背景のもとに完成されたものであって、可燃物を含むスクラップと溶銑を装入して精錬する転炉または溶銑予備処理炉の装入部に設置された装入フードと、常時は個々に自動制御されるその他のフードとを共通の集塵機に接続しておき、溶銑とスクラップとの接触による粉塵及びフレーム発生時には、工場内集塵系を集中管理して装入フードを除くその他のフードの吸引風量を最小限に抑えることにより、装入フードの吸引風量を最大化することを特徴とすることを特徴とするものである。なお、溶銑とスクラップとの接触による黒煙、粉塵、フレーム等の発生時に、炉口上部から散水、ミスト噴霧、不活性ガス噴射の少なくとも一つを行うことにより、黒煙や粉塵、フレームの漏洩を抑制することが好ましい。
【発明の効果】
【０００８】
本発明によれば、溶銑とスクラップとの接触による粉塵及びフレーム発生時には、工場内集塵系を集中管理して装入フードを除くその他のフードの吸引風量を最小限に抑えることにより、装入フードの吸引風量を最大化するので、共通の集塵機自体を大型化することなく、炉口からの黒煙、粉塵、フレーム等の漏洩を最小限に抑制することができる。このため一度に溶融処理できるスクラップ量を増加させることができる。なお、この間はその他のフードの吸引風量が最小限に抑えられるが、全操業時間に占める比率は小さいため、操業上の問題は生じない。
【発明を実施するための最良の形態】
【０００９】
以下に本発明の実施形態を示す。
図１において、１と２は運転時期をずらせて交互に出鋼される一対の転炉であって、各転炉１の炉口の上方にはそれぞれ装入フード３、４が設けられている。左側の転炉１の内部には自動車スクラップのような可燃物を含むスクラップＳが先に装入されており、溶銑鍋５により溶銑を装入する状態が示されている。また右側の転炉２はその後の吹錬中である。前記したように可燃物を含むスクラップと高温の溶銑が接触する転炉１の炉口からは多量の黒煙、粉塵、フレーム等が噴出するため、装入フード３でこれらを吸引している。このほか吹錬中の転炉２の炉口からも多少の発塵があるため、転炉２の炉周フード６により吸引している。なお本実施形態ではスクラップＳの溶融に転炉１、２を使用しているが、溶銑予備処理炉であっても同様である。また溶銑を先に転炉１内に装入しておき、後からスクラップSを投入してもよい。
【００１０】
上記した装入フード３、４とは別に、炉周フード６、７、出鋼フード８、９をはじめ工場内の各設備に対応して多数の集塵用のフード１０が配置されている。これらの各フードは、吸引配管１１により吸引ブロワ１２を備えた共通の集塵機１３に接続されている。共通の集塵機１３は例えばバグフィルタであり、必ずしも１機である必要はなく、吸引配管１１の他端側にも配置することもできる。なお各フードには開度調整用のダンパー１４が設けられている。
【００１１】
装入フード３、４は、可燃物を含むスクラップＳが装入されている転炉内に溶銑を装入するか、溶銑が装入されている転炉内にスクラップＳを投入する場合のような、溶銑とスクラップとの接触による発塵作業を行う際には全開される。またその他の各フードも、常時は個々に開度を自動制御されている。このように各フードの開度はそれぞれ個別に制御されていたため、図１の状態において装入フード３のダンパーを全開にしてもその吸引風量に限界があることは、前述の通りである。
【００１２】
しかし本発明では図１に示したような工場内集塵系を集中管理し、溶銑とスクラップとの接触による発塵作業が行われるとき以外は、炉周フード６、７、出鋼フード８、９を含む多数の集塵用のフード１０を個々に自動制御により開閉するが、発塵作業が行われるときにはその転炉１の装入フード３を除くその他のフードの吸引風量を最小限に抑える。ここで最小限とは必ずしも全閉に限定されず、必要最小限の吸引風量を確保できる程度に半開することも含む。例えば図１の状態においては、吹錬中の転炉２の炉周フード７のみはダンパーを半開としておく必要があるが、その他は全閉とすることができる。
【００１３】
このように発塵作業が行われる転炉１の装入フード３以外のフードの吸引風量を最小限に抑えることにより、共通の集塵機１３の吸引能力を装入フード３が専有できるようになり、装入フード３の吸引風量を最大化することができる。この結果、共通の集塵機１３の能力を従来どおりとしたままで、発塵作業が行われている転炉１の炉口からの黒煙、粉塵、フレーム等の漏洩を最小限に抑制することができる。
【００１４】
例えば図１に示される工場内集塵系において、共通の集塵機１３の吸引能力が９０００Ｎｍ３／分であった場合、従来は装入フード３または４の吸引風量の最大値は３５００Ｎｍ３／分であったが、本発明により６０００Ｎｍ３／分にまで向上させることが可能となり、黒煙、粉塵、フレーム等の漏洩をほとんどゼロとすることができた。
【００１５】
なお、図２に示されるように装入フード３、４の部分に散水ヘッダー１５等を設置しておき、溶銑とスクラップとの接触による発塵作業時に、炉口上部から炉口に向けて散水、ミスト噴霧、不活性ガス噴射の少なくとも一つを行うことが好ましい。これにより、黒煙やフレームを冷却してガスボリュームを減少させ、装入フード３、４からの吸引を助けることができるうえ、水膜やガスカーテンを形成して外部への粉塵の漏洩を抑制することができる。このように本発明と従来から行われていた散水等を組み合せることによって、より確実な粉塵漏洩抑制効果を得ることができる。
【００１６】
なお、上記した工場内集塵系の制御は転炉１、２の運転に合わせて自動的に行われるが、散水ヘッダー１５からの散水等については、溶銑鍋５を操作するクレーンの運転室に制御機器を設置しておき、クレーンのオペレータが溶銑鍋５の操作タイミングと合わせて行えるようにしておくことが好ましい。
【実施例】
【００１７】
要領が２００トンの転炉の内部に予め自動車スクラップ１トンを装入しておき、約１５００℃の溶銑を注入して溶融させた。従来法によるときは溶銑の注入と同時に多量の黒煙・粉塵やフレームが炉口から噴出し、転炉の上方に位置するクレーンの主ビーム付近の雰囲気温度は１０００℃近くまで上昇した。しかし本発明により装入フードの吸引風量を従来の３５００Ｎｍ３／分から６０００Ｎｍ３／分に増加させると、黒煙・粉塵・フレームの噴出量は大幅に減少し、クレーンの主ビーム付近の雰囲気温度は６６０℃にまで低下した。さらに図２のように散水ノズルから冷却水を窒素ガスとともに噴射させると黒煙・粉塵・フレームの噴出は目視できない程度まで減少し、クレーンの主ビーム付近の雰囲気温度は４１０℃となった。
【図面の簡単な説明】
【００１８】
【図１】本発明の実施形態を示す配管系統図である。
【図２】請求項２の発明の実施形態を示す説明図である。
【符号の説明】
【００１９】
１  転炉
２  転炉
３  装入フード
４  装入フード
５  溶銑鍋
６  炉周フード
７  炉周フード
８  出鋼フード
９  出鋼フード
１０  その他の集塵用のフード
１１  吸引配管
１２  吸引ブロワ
１３  集塵機
１４  開度調整用のダンパー
１５  散水ヘッダー
【図１】
2007211263.tif 000003
【図２】
2007211263.tif 000004